(57)【要約】【課題】高密度、あるいは駆動周波数を上げた場合でも、スループットを落とすことなく端部よれを抑え且つ２色混色時にも色むらのないインクジェット記録ヘッドを提供する。【解決手段】  本発明のインクジェット記録ヘッドは、インク供給口Ｈ１１０２を挟んだ各吐出口Ｈ１１０７は互いに対向して配置され、かつ大径と小径の吐出口が交互に配置され、２列に並んでいる吐出口列のうち、一方の吐出口列は一端が大径の吐出口で、他端が小径の吐出口であり、他方の吐出口列は大径と小径の吐出口の並び順が一方の吐出口列とは逆になるように配置されている。各色毎に設けられた２つの吐出口列組のうち、第１吐出口列組である一方の吐出口列組に対して、第２吐出口列組である他方の吐出口列組は吐出列方向の吐出口のピッチに対し吐出列方向に半ピッチずれて配置されている。【選択図】図６ａ
2007144769.tif 000002
【特許請求の範囲】
【請求項１】
インクを吐出するための複数の吐出口と、該複数の吐出口にインクを供給するための複数のインク供給口とを有し、大径および小径の複数の前記吐出口が、主走査方向に対し直交する方向に所定のピッチで配列されて吐出口列を形成し、前記インク供給口の両側に並列した同じ吐出口数からなる２列の前記吐出口列によって吐出口列組を形成しており、１色のインクにつき２つの前記吐出口列組が設けられているインクジェット記録ヘッドにおいて、
前記インク供給口を挟んだ前記各吐出口は互いに対向して配置され、かつ前記大径の吐出口と前記小径の吐出口が交互に配置され、２列に並んでいる前記吐出口列のうち、一方の吐出口列は一端が前記大径の吐出口であるとともに他端が前記小径の吐出口であり、他方の吐出口列は前記大径の吐出口と前記小径の吐出口の並び順が前記一方の吐出口列に対して逆になるように配置されており、各色毎に設けられた２つの前記吐出口列組のうち、第１吐出口列組である一方の前記吐出口列組に対して、第２吐出口列組である他方の前記吐出口列組は吐出列方向の吐出口のピッチに対し前記吐出列方向に半ピッチずれて配置されていることを特徴とするインクジェット記録ヘッド。
【請求項２】
前記第１吐出口列組および前記第２吐出口列組に対応するインク色とは異なるインク色に対して設けられた２つの前記吐出口列組のうち、どちらか一方の前記吐出口列組が前記第１吐出口列組とピッチ差なく配置され、他方の前記吐出口列組は前記第２吐出口列組とピッチ差なく配置されている、請求項１に記載のインクジェット記録ヘッド。
【請求項３】
複数の前記吐出口列組全体を主走査方向に二分する中心線を軸としたとき、１色のインクにつき２つ設けられた前記吐出口列組同士が、互いに前記軸から等距離に配置されている、請求項１または２に記載のインクジェット記録ヘッド。
【請求項４】
複数の前記吐出口列組全体を主走査方向に二分する中心線を軸としたとき、前記軸に対して対称な位置となる前記吐出口列同士は、前記大径の吐出口と前記小径の吐出口の順が同一となるように配置されている、請求項１ないし３のいずれか１項に記載のインクジェット記録ヘッド。
【発明の詳細な説明】
【技術分野】
【０００１】
本発明は、インク等の記録液を吐出口から吐出して液滴を形成して記録を行う記録装置に用いられるインクジェット記録ヘッドに関する。
【背景技術】
【０００２】
インクジェット記録装置は高速化、高解像度化しており、特に画質を形成するために使用するインクジェット記録ヘッドにおいても、更なる高速化、高解像度化が求められている。例えば高速化に対しては駆動周波数を上げたり、ノズル数を増やしたり、あるいは双方向プリントが行われている。
【０００３】
しかし、双方向プリント方式は記録ヘッドの構成によっては、各色のインクの打ち込み順序が主走査の往方向と復方向で異なるために、バンド状の色むらが発生するという原理的な問題を有していた。
【０００４】
そこで、特許文献１において、１色に対して２つの吐出口列を持っており、１色の構成の場合は各々がインク供給口を挟んで走査方向に対して交互になるように、吐出口の配列方向にずれて配設されたインクジェット記録ヘッドが開示されている。２色の場合は例えば、第１の液体の２つの吐出口列はそれぞれ一番外側同士に走査方向に対して交互になるように、吐出口の配列方向にずれて配設されている。第２の液体の２つの吐出列は第１の液体の２つの吐出口列の、それぞれ内側に走査方向に対して交互になるように、吐出口の配列方向にずれて配設されている。
【０００５】
また、階調性に富んだ画像を得るために、インクジェット記録ヘッドにおいて、同一色で異なるインク滴サイズを吐出させることを行っている。例えば、特許文献２のように、大径吐出口と小径吐出口が交互に並んだ吐出口列が、インク供給口を挟んで大径吐出口と小径吐出口が対向するように配設されている構成が開示されている。
【０００６】
さらに高速で階調性に富んだ画像を得るために、特許文献１の様な構成において、インク供給口を挟んで片側に大径吐出口が並んだ大径吐出口列と、反対側に小径吐出口が並んだ小径吐出口列が形成されているものが知られている。この様な構成で更なるノズルの高密度化、駆動周波数の向上、ノズル数の増加、小液滴化といったことを行っている。
【０００７】
ところがこのように高解像度化、高速化のためにノズルの高密度化、駆動周波数の向上、ノズル数増、さらには小液滴化といったことを行うことで、吐出により気流が発生し特にノズル両端部ではその気流により着弾点の位置がずれ、即ちヨレが発生する。（以降、この現象を端部よれと称する）そこで両端部のみノズルのピッチをヨレる方向とは逆方向にずらしヨレを補正したり、両端部のみ印字ｄｕｔｙを落とし、次のスキャンで重ね打ちをすると言うことを行っている。
【０００８】
しかし、両端部のピッチをずらす場合、低ｄｕｔｙ時など気流が発生しない時は、両端部のみずらしたピッチ分着弾がずれてしまう。また、両端部のみｄｕｔｙを落とす場合は、全てのノズルがフルに使えないため、スループットが落ちてしまう。
【０００９】
そこで上記問題点に対し、両端部のみ大径吐出口と小径吐出口が交互に配置させる構成が考案されている。該構成によれば、大径吐出口間（若しくは小径吐出口間）のピッチを広くし、且つ同時に吐出する１列あたりのノズルの領域を減らすことでスループットを落とさずに端部よれを軽減させることができる。
【特許文献１】特開２００１−１７１１１９号公報
【特許文献２】特開２００４−７４４６６号公報
【発明の開示】
【発明が解決しようとする課題】
【００１０】
しかしながら、両端部のみ大径吐出口と小径吐出口が交互に配置するということを行い端部よれを軽減させる場合では、以下のような現象が生じる。すなわち、２色混色時の重ね打ちされる色順が、端部のみ２ドットおきに変わり、その他の領域は１ドットおきに変わるというようなことが発生し、その結果端部のみ色むらが生じてしまう。
【００１１】
本発明は、上記問題点に鑑みてなされたものであり、ノズル数が増え、高密度、あるいは駆動周波数を上げた場合でも、スループットを落とすことなく端部よれを抑え且つ２色混色時にも色むらのないインクジェット記録ヘッドを提供することを目的とする。
【課題を解決するための手段】
【００１２】
上記目的を達成するため、本発明のインクジェット記録ヘッドは、インクを吐出するための複数の吐出口と、該複数の吐出口にインクを供給するための複数のインク供給口とを有し、大径および小径の複数の吐出口が、主走査方向に対し直交する方向に所定のピッチで配列されて吐出口列を形成し、インク供給口の両側に並列した同じ吐出口数からなる２列の吐出口列によって吐出口列組を形成しており、１色のインクにつき２つの吐出口列組が設けられているインクジェット記録ヘッドにおいて、インク供給口を挟んだ各吐出口は互いに対向して配置され、かつ大径の吐出口と小径の吐出口が交互に配置され、２列に並んでいる吐出口列のうち、一方の吐出口列は一端が大径の吐出口であるとともに他端が小径の吐出口であり、他方の吐出口列は大径の吐出口と小径の吐出口の並び順が一方の吐出口列に対して逆になるように配置されており、各色毎に設けられた２つの吐出口列組のうち、第１吐出口列組である一方の吐出口列組に対して、第２吐出口列組である他方の吐出口列組は吐出列方向の吐出口のピッチに対し吐出列方向に半ピッチずれて配置されていることを特徴とする。
【発明の効果】
【００１３】
以上述べた通り、本発明によれば、１度に吐出する際の密度が軽減することができる。よって、ノズル数が増え、高密度、駆動周波数を上げた場合でも、スループットを落とすことなく端部よれを抑え且つ２色混色時にも色むらの発生を防止することができる。
【発明を実施するための最良の形態】
【００１４】
（第１の実施形態）
以下、本発明の実施形態について図面を参照して説明する。
【００１５】
図１〜図４は本発明が実施もしくは適用される好適なヘッドカートリッジ、記録ヘッド、インクタンクのそれぞれの構成及びそれぞれの関係を説明する図である。
【００１６】
以下これらの図面を参照して各構成要素の説明を行う。
【００１７】
本実施形態の記録ヘッド（インクジェット記録ヘッド）Ｈ１００１は、図１ａおよび図１ｂの斜視図でわかるように、記録ヘッドカートリッジＨ１０００を構成する一構成要素である。記録ヘッドカートリッジＨ１０００は、記録ヘッドＨ１００１と記録ヘッドＨ１００１に着脱自在に設けられたインクタンクＨ１９００（Ｈ１９０１、Ｈ１９０２、Ｈ１９０３、Ｈ１９０４）とから構成されている。記録ヘッドＨ１００１は、インクタンクＨ１９００から供給されるインク（記録液）を、記録情報に応じて吐出口から吐出する。この記録ヘッドカートリッジＨ１０００は、インクジェット記録装置本体に載置されているキャリッジに対して着脱可能となっている。
【００１８】
インクタンクＨ１９０１はブラックのインク用、インクタンクＨ１９０２はシアンのインク用、インクタンクＨ１９０３はマゼンタのインク用、インクタンクＨ１９０４はイエローのインク用である。このようにインクタンクＨ１９０１、Ｈ１９０２、Ｈ１９０３、Ｈ１９０４のそれぞれが記録ヘッドＨ１００１に対してシールゴムＨ１８００側に着脱自在である。それぞれのインクタンクが交換可能となっていることにより、インクジェット記録装置における印刷のランニングコストが低減される。
【００１９】
次に、記録ヘッドＨ１００１について説明する。
（１）記録ヘッド
記録ヘッドＨ１００１は電気信号に応じて膜沸騰をインクに対して生じさせるための熱エネルギーを生成する電気熱変換体（記録素子）を用いて記録を行うバブルジェット（登録商標）方式のサイドシューター型の記録ヘッドである。記録ヘッドＨ１００１は、図２の分解斜視図に示すように、記録素子ユニットＨ１００２とインク供給ユニットＨ１００３とタンクホルダーＨ２０００から構成されている。
【００２０】
さらに図３の分解斜視図に示すように、記録素子ユニットＨ１００２は、第１の記録素子基板Ｈ１１００、第２の記録素子基板Ｈ１１０１、第１のプレート（第一の支持部材）Ｈ１２００、電気配線テープＨ１３００、電気コンタクト基板Ｈ２２００、第２のプレート（第二の支持部材）Ｈ１４００で構成されており、またインク供給ユニットＨ１００３は、インク供給部材Ｈ１５００、流路形成部材Ｈ１６００、ジョイントシール部材Ｈ２３００フィルターＨ１７００、シールゴムＨ１８００から構成されている。
【００２１】
図４に示すように、複数の吐出口Ｈ１１０７によって形成された吐出口列がインク供給口Ｈ１１０２の両側に吐出口群（吐出口列組）Ｈ１１０８が並列して形成されている。
［比較用のインクジェット記録ヘッドの吐出口列］
図５は従来の記録ヘッドＨ１００１の要部を模式的に示す説明図である。
【００２２】
図５ａは記録ヘッドＨ１００１を吐出口側から見た模式図である。図５ｂは吐出口側とは反対側の面（記録素子基板の裏面側：図３、図４を参照）から吐出口側を透過させて見たときの、吐出口とインク供給口の配置を説明するための図である。また、図５ｃはインク２色についての吐出口配置と実際に記録紙上にドットが２色重ね打ちされた時の様子を示した図である。
【００２３】
図５ａより、吐出口列Ａ１、Ａ２、Ａ３および吐出口列ａ１、ａ２、ａ３の各吐出口は、約４０μｍ（１／６００インチ）のピッチで配列されている（Ｐ１）。
【００２４】
また、吐出口列Ａ１、Ａ２、Ａ３とＢ１、Ｂ２、Ｂ３の位置関係は、約２０μｍ（１／１２００インチ）のピッチでずれて配置されている（Ｐ２）。
【００２５】
図５に示す従来例における各吐出口列のノズル数は６４０ノズル、吐出量は大径が５．７ｐｌ、小径が２．４ｐｌである。
【００２６】
吐出口形成面には、２本の吐出口列からなるＡ１組〜Ｂ３組までの６組の吐出口列組が配列されている。
【００２７】
Ａ１組はＡ１列とａ１列の２つの吐出口列からなる。
【００２８】
Ａ１列の一端側（図５ａ中上側）は、一番端を大径吐出口として、小径、大径、小径の４つの吐出口が交互に配置されている。また、Ａ１列の他端側（図５ａ中下側）は、一番端を小径吐出口として、大径、小径、大径の４つの吐出口が交互に配置されている。このように、Ａ１列は、両端部の吐出口は大径吐出口と小径吐出口とが交互に配置されているが、両端部以外の領域（中間領域）は大径吐出口が連続して配置されている。
【００２９】
ａ１列の一端側（図５ａ中上側）は、一番端を小径吐出口として、大径、小径、大径の４つの吐出口が交互に配置されている。
また、ａ１列の他端側（図５ａ中下側）は、一番端を大径吐出口として、小径、大径、小径の４つの吐出口が交互に配置されている。このように、ａ１列も、両端部の吐出口は大径吐出口と小径吐出口とが交互に配置されているが、中間領域は小径吐出口が連続して配置されている。
【００３０】
Ａ１列の吐出口とａ１列の吐出口とはインク供給口Ｈ１１０２を挟んで半ピッチ（約２０μｍ≒１／１２００インチ）ずれて配置されている（Ｐ２）。
【００３１】
Ａ１列と同様の吐出口配列のＡ２〜Ａ３列、Ｂ１〜Ｂ３列もそれぞれ、ａ１と同様の吐出口配列のａ２〜ａ３列、ｂ１〜ｂ３列に対してインク供給口Ｈ１１０２を挟んで半ピッチずれて配置されている。
【００３２】
またＡ１とｂ３の大径吐出口の位置関係は、１ピッチ（約４０μｍ≒１／６００インチ）（Ｐ１）ずれて配置されており、走査方向に対して互いに補完しあうように配置されている。
【００３３】
インク供給口Ｈ１１０２を挟んでＡ１列とａ１列からなるＡ１組と、インク供給口Ｈ１１０２を挟んでＢ３列とｂ３列からなるＢ３組は同じインク色であり、同様にＡ２組とＢ２組、Ａ３組とＢ１組もそれぞれ同じインク色である。
【００３４】
つまり、従来例における各吐出口列は、大径吐出口と小径吐出口が交互に並ぶように配置しておき、大径吐出口列の両端部は大径吐出口が従来の倍のピッチで並ぶように配置されている。このように、端部における大径のノズルのピッチを広げることで、端部よれが軽減する。
【００３５】
またこのように両端部を大径吐出口と小径吐出口が交互に並ぶように配置することで、大径吐出口のみが連続している領域が減り（小径吐出口についても同様）、端よれの原因である気流の発生を軽減できる。
【００３６】
しかし、図５ｃに示すように、主走査方向に２色重ね打ちをした場合（図中２色のドットを白抜きと黒丸で表示）、両端部は２色の重ね順が２ドットおきに変わり、その結果色むらとなってしまう（図５ｃ中Ｂで示す領域）。なお、実際には２ドットは重ねて打たれるが、図５ｃは色の重ね順がわかるようにドットをずらして表示している。
【００３７】
この色むらは両端部に起こるため、双方向印字では往走査と復走査の境目毎に色むらが発生してしまう。
［本願発明のインクジェット記録ヘッドの吐出口列］
そこで本発明は、端よれが起こらず、しかも色むらが生じないよう次のように構成した。
【００３８】
以下、本発明の特徴的な構成について詳しく説明する。
【００３９】
図６は、本発明の第１の実施形態を説明するための記録ヘッドＨ１００１の要部を模式的に示す図である。図６ａは本実施形態の記録ヘッドＨ１００１を吐出口側から見た模式図である。図６ｂは吐出口側とは反対側の面から吐出口側を透過させて見たときの、吐出口とインク供給口の配置を説明するための図である。また、図６ｃはインク２色についての吐出口配置と実際に記録紙上にドットが２色重ね打ちされた時の様子を示した図である。
【００４０】
本実施形態のインクジェット記録ヘッドの吐出口形成面には、２つの吐出口列からなるＣ１組〜Ｄ３組までの６組の吐出口列組が配列されている。
【００４１】
Ｃ１組はＣ１列とｃ１列の２つの吐出口列からなる。
【００４２】
Ｃ１列は、一端側が大径吐出口から始まり他端が小径吐出口で終わるように大径吐出口と小径吐出口とが交互配置されている。従来の吐出口の配列は、図５ａに示すように、Ａ１列の一端の大径吐出口とａ１列の一端の小径吐出口とはずれて配列されているのに対し、本実施形態の場合、Ｃ１列の一端の大径吐出口とｃ１列の一端の小径吐出口とはピッチ差なく配列されている。
【００４３】
ｃ１列は、Ｃ１列の一端側と同じ側である一端側は、小径吐出口から始まり他端側は大径吐出口で終わるように小径吐出口と大径吐出口とが交互配置されている。
【００４４】
従来例の場合、中間領域において、Ａ１列では大径吐出口が連続して配置され、ａ１列では小径吐出口が連続して配置されている。これに対して、本実施形態の場合、従来例のようないわゆる中間領域がなく、全領域に亘って大径吐出口と小径吐出口とが交互に配置されている。
【００４５】
Ｃ１列の吐出口とｃ１列の吐出口とはインク供給口Ｈ１１０２を挟んで大径吐出口と小径吐出口がピッチ差なく対向するように配置されている。
【００４６】
Ｃ１列と同様の吐出口配列のＣ２〜Ｃ３列、Ｄ１〜Ｄ３列もそれぞれ、ｃ１と同様の吐出口配列のｃ２〜ｃ３列、ｄ１〜ｄ３列もそれぞれインク供給口Ｈ１１０２を挟んで大径吐出口と小径吐出口とがピッチ差なく対向するように配置されている。
【００４７】
本実施形態においても従来例と同様、インク供給口Ｈ１１０２を挟んでＣ１列とｃ１列からなるＣ１組と、インク供給口Ｈ１１０２を挟んでＤ３列とｄ３列からなるＤ３組は同じインク色である。同様にＣ２組とＤ２組、Ｃ３組とＤ１組もそれぞれ同じインク色である。
【００４８】
また、Ｃ１〜Ｄ３組全体を主走査方向に二分する中心線Ａを軸としたとき、インクの色毎の２つの吐出口列組同士は、互いに前記軸から等距離となるように配置されている。例えば、中心線ＡからＣ１組までの距離と、中心線ＡからＤ３組までの距離とは等しい。
【００４９】
さらにＣ１組〜Ｃ３組とＤ１組〜Ｄ３組は、大径吐出口と小径吐出口共に吐出口の位置が半ピッチ（約２０μｍ≒１／１２００インチ）ずれて配置されている（Ｐ３）。
【００５０】
本発明のように、大径吐出口と小径吐出口とが交互に並ぶように配置されている。また、インク供給口を挟んで並んでいる２つの吐出口列は、その一端側に大径の吐出口が並ばないように一方の吐出口列の一端が大径の吐出口である場合、他方の吐出口列の一端が小径の吐出口となるような配列にしている。このように、大径吐出口と小径吐出口とが交互に並ぶように配置することで、大径吐出口と小径吐出口の各々が従来の倍のピッチに広げて配置されることで、１度に吐出する際の密度が軽減することができるので気流の発生がかなり抑えられる。そのため、端部は気流の影響を殆ど受けず、その結果端よれが軽減する。
【００５１】
また、この構成で図６ｂのように主走査方向に２色重ね打ちをした場合は、図６ｃに示すように、全領域において２色の重ね順は１ドットおきに変わるため、色むらは発生しない（図６ｃ中Ｃで示す領域）。
【００５２】
以上のようにインクジェット記録ヘッドにおける大径吐出口と小径吐出口との配列を本実施形態の構成にすることで、端よれを抑えつつ２色混色時の色むらの発生も防止することができる。
（第２の実施形態）
図７は本発明の第２の実施形態を説明するための記録ヘッドＨ１００１の要部を模式的に示す図であり、図７ａは吐出口側から見た模式図である。図７ｂは吐出口側とは反対側の面から吐出口側を透過させて見たときの、吐出口とインク供給口の配置を説明するための図である。また、図７ｃは、インク２色についての吐出口配置と実際に記録紙上にドットが２色重ね打ちされた時の様子を示した図である。
【００５３】
ここでは、インク１色についての２つの組の関係は上述した第１の実施形態と同様であるが、色同士の関係が異なる。具体的には、図７ａよりＥ１組とＥ２組は吐出口の位置が半ピッチ（約２０μｍ≒１／１２００インチ）ずれて配置されており、Ｆ２組とＦ３組も半ピッチ（約２０μｍ≒１／１２００インチ）ずれて配置されている（Ｐ４）。なお、これは１例であり、図中のＥ１組とＥ２組、Ｆ２組とＦ３組の関係は逆側に半ピッチずれた構成でも良い。
【００５４】
ただし、Ｅ１組とＦ２組は主走査方向に対し、吐出口位置が一致するよう配置しており、Ｅ２組とＦ３組も同様に配置されている。このような構成においても実施例１と同様の効果が得られる。すなわち、大径吐出口と小径吐出口とが交互に並ぶように配置することで、大径吐出口と小径吐出口の各々が従来の倍のピッチに広げて配置されることで、気流の発生がかなり抑えられる。そのため、端部は気流の影響を殆ど受けず、その結果端よれが軽減する。また、この構成で図７ｂのように主走査方向に２色重ね打ちをした場合は、図７ｃに示すように、全領域において２色の重ね順は１ドットおきに変わるため、色むらは発生しない（図７ｃ中Ｃで示す領域）。
（第３の実施形態）
図８は、本発明の第３の実施形態を説明するための記録ヘッドＨ１００１の要部を模式的に示す図である。図８ａは吐出口側から見た模式図である。図８ｂは吐出口側とは反対側の面から吐出口側を透過させて見たときの、吐出口とインク供給口の配置を説明するための図である。また、図８ｃは、インク２色についての吐出口配置と実際に記録紙上にドットが２色重ね打ちされた時の様子を示した図である。
【００５５】
Ｇ１列は、一端が大径吐出口であり、小径吐出口と大径吐出口とが交互に配置され、他端が小径吐出口となるように配列されている。
【００５６】
ｇ１列は、Ｇ１列と、Ｇ１列で大径吐出口である側と同じ端が小径吐出口であり、大径吐出口と小径吐出口とが交互に配置され、他端が大径吐出口となるように配列されている。従来例の場合、中間領域において、Ａ１列では大径吐出口が連続して配置され、ａ１列では小径吐出口が連続して配置されている。これに対して、本実施形態の場合、従来例のようないわゆる中間領域がなく、全領域に亘って大径吐出口と小径吐出口とが交互に配置されている。
【００５７】
Ｇ１列とｇ１列とは、インク供給口Ｈ１１０２を挟んで大径吐出口と小径吐出口とが対向するように配置されている。Ｇ１列と同様の吐出口配列のＧ２〜Ｇ３列、Ｈ１〜Ｈ３列と、ｇ１と同様の吐出口配列のｇ２〜ｇ３列、ｈ１〜ｈ３列もそれぞれインク供給口Ｈ１１０２を挟んで大径吐出口と小径吐出口とが対向するように配置されている。
【００５８】
本実施形態においても従来例と同様、インク供給口Ｈ１１０２を挟んでＧ１列とｇ１列からなるＧ１組と、インク供給口Ｈ１１０２を挟んでＨ３列とｈ３列からなるＨ３組は同じインク色である。同様にＧ２組とＨ２組、Ｇ３組とＨ１組もそれぞれ同じインク色である。
【００５９】
さらに図８ａより、Ｇ１組〜Ｇ３組とＨ１組〜Ｈ３組は、大径吐出口と小径吐出口共に吐出口の位置が半ピッチ（約２０μｍ≒１／１２００インチ）ずれて配置されている（Ｐ５）。
【００６０】
また、Ｇ１組〜Ｇ３組（図８ａ中、中心腺Ａより左側）とＨ１組〜Ｈ３組（図８ａ中、中心腺Ａより右側）では、大径吐出口から始まる列と小径吐出口から始まる列が、インク供給口を挟んで逆になるように配置されている。
【００６１】
つまり、中心腺Ａより左側に配置されているＧ１組〜Ｇ３組は、大径吐出口から始まる列が（Ｇ１列〜Ｇ３列）図中、インク供給口の左側に配置され、小径吐出口から始まる列が（ｇ１列〜ｇ３列）図中、インク供給口の右側に配置されている。
【００６２】
一方、中心腺Ａより右側に配置されているＨ１組〜Ｈ３組は、大径吐出口から始まる列が（Ｈ１列〜Ｈ３列）図中、インク供給口の右側に配置され、小径吐出口から始まる列が（ｈ１列〜ｈ３列）図中、インク供給口の左側に配置されている。
【００６３】
本発明のように、大径吐出口と小径吐出口が交互に並ぶように配置することで、大径吐出口と小径吐出口の各々が従来の倍のピッチに広げて配置されることで、気流の発生がかなり抑えられる。そのため、端部は気流の影響を殆ど受けず、その結果端よれが軽減する。
また、この構成で図８ｂのように主走査方向に２色重ね打ちをした場合は、図８ｃに示すように、全領域において２色の重ね順は１ドットおきに変わるため、色むらは発生しない（図８ｃ中Ｃで示す領域）。
【００６４】
以上のように本発明の構成にすることで、端よれを抑えつつ２色混色時の色むらも発生しない。
【００６５】
また、インク１色についての２つの組の関係は、第２の実施形態と同じで色同士の関係が異なる構成でも同様の効果が得られる。
【００６６】
具体的には、図８ｂを使って説明すると、Ｇ１組とＧ２組は吐出口の位置が半ピッチ（約２０μｍ≒１／１２００インチ）ずれて配置されており、Ｈ２組とＨ３組も半ピッチ（約２０μｍ≒１／１２００インチ）ずれて配置されている（図示せず）。なお、これは１例であり、図中のＧ１組とＧ２組、Ｈ２組とＨ３組の関係は逆側に半ピッチずれた構成でも良い。ただし、Ｇ１組とＨ２組は主走査方向に対し、吐出口位置が一致するよう配置しており、Ｇ２組とＨ３組も同様に配置されている。このような構成においても第１および第２の実施形態と同様の効果が得られる。
【図面の簡単な説明】
【００６７】
【図１ａ】本発明の実施例における記録ヘッドカートリッジの斜視図である。
【図１ｂ】本発明の実施例における記録ヘッドカートリッジの分解斜視図である。
【図２】本発明の実施例における記録ヘッドの分解斜視図である。
【図３】図２に示す記録ヘッドの構成を示す分解斜視図である。
【図４】図３に示す記録ヘッドをさらに細かく分解した分解斜視図である。
【図５ａ】従来の記録ヘッドの要部を模式的に示す説明図であり、吐出口側から見た模式図である。
【図５ｂ】従来の記録ヘッドの要部を模式的に示す説明図であり、吐出口側とは反対側の面から吐出口側を透過させて見たときの図である。
【図５ｃ】従来の記録ヘッドの要部を模式的に示す説明図であり、実際に記録紙上にドットが２色重ね打ちされた時の様子を示した図である。
【図６ａ】本発明の第１の実施形態の記録ヘッドの要部を吐出口側から見た図である。
【図６ｂ】本発明の第１の実施形態の記録ヘッドの要部を模式的に示す説明図であり、吐出口側とは反対側の面から吐出口側を透過させて見たときの図である。
【図６ｃ】本発明の第１の実施形態の記録ヘッドの要部を模式的に示す説明図であり、実際に記録紙上にドットが２色重ね打ちされた時の様子を示した図である。
【図７ａ】本発明の第２の実施形態の記録ヘッドの要部を模式的に示す説明図であり、吐出口側から見た図である。
【図７ｂ】本発明の第２の実施形態の記録ヘッドの要部を模式的に示す説明図であり、図７ｂは吐出口側とは反対側の面から吐出口側を透過させて見たときの図である。
【図７ｃ】本発明の第２の実施形態の記録ヘッドの要部を模式的に示す説明図であり、実際に記録紙上にドットが２色重ね打ちされた時の様子を示した図である。
【図８ａ】本発明の第３の実施形態の記録ヘッドの要部を模式的に示す説明図であり、吐出口側から見た模式図である。
【図８ｂ】本発明の第３の実施形態の記録ヘッドの要部を模式的に示す説明図であり、吐出口側とは反対側の面から吐出口側を透過させて見たときの図である。
【図８ｃ】本発明の第３の実施形態の記録ヘッドの要部を模式的に示す説明図であり、実際に記録紙上にドットが２色重ね打ちされた時の様子を示した図である。
【符号の説明】
【００６８】
Ｈ１００１    記録ヘッド
Ｈ１１０２    インク供給口
Ｈ１１０７    吐出口
Ｈ２５０４    大径吐出口
Ｈ２５０５    小径吐出口
Ｃ１列〜Ｃ３列、Ｄ１列〜Ｄ３列    本発明の第１の実施形態の大径から始まる吐出口列
ｃ１列〜ｃ３列、ｄ１列〜ｄ３列    本発明の第１の実施形態の小径から始まる吐出口列
Ｃ１組〜Ｃ３組、Ｄ１組〜Ｄ３組    本発明の第１の実施形態の吐出口列組
【図１ａ】
2007144769.tif 000003
【図１ｂ】
2007144769.tif 000004
【図２】
2007144769.tif 000005
【図３】
2007144769.tif 000006
【図４】
2007144769.tif 000007
【図５ａ】
2007144769.tif 000008
【図５ｂ】
2007144769.tif 000009
【図５ｃ】
2007144769.tif 000010
【図６ａ】
2007144769.tif 000011
【図６ｂ】
2007144769.tif 000012
【図６ｃ】
2007144769.tif 000013
【図７ａ】
2007144769.tif 000014
【図７ｂ】
2007144769.tif 000015
【図７ｃ】
2007144769.tif 000016
【図８ａ】
2007144769.tif 000017
【図８ｂ】
2007144769.tif 000018
【図８ｃ】
2007144769.tif 000019